(57)【要約】      （修正有）【課題】ファン故障時に空気流経路内で部材を立体的に拡張させ、故障したファンを通過する空気流経路を遮断し、熱風の再循環を防止する。【解決手段】装置は、軸方向の空気流経路を生成する回転運動に適した構成である電子機器冷却ファン１００を備え、電子機器冷却ファン１００が、軸方向の空気流経路内に配置されファン故障時に立体的に拡張するように構成される部材１０２を有する。【選択図】図１Ｂ
2006194248.tif 000002
【特許請求の範囲】
【請求項１】
軸方向の空気流経路を生成する回転運動をするのに適した構成である電子機器冷却ファンを備え、
前記電子機器冷却ファンが、前記軸方向の空気流経路内に配置されファン故障時に立体的に拡張するように構成される部材を有することを特徴とする装置。
【請求項２】
前記電子機器冷却ファンの故障を検出するように構成されているセンサと、
前記センサ及び前記電子機器冷却ファンに接続される論理回路とをさらに備え、
前記論理回路は前記部材を立体的に拡張するように作動させることで、センサによるファン故障検出に対応するように構成されることを特徴とする請求項１に記載の装置。
【請求項３】
ファン電流センサ、温度センサ、回転速度計センサ及び電気パラメータセンサからなるファン故障検出器の一群から選択されるセンサをさらに備えることを特徴とする請求項１に記載の装置。
【請求項４】
軸方向の空気流経路を生成する回転運動をするのに適した構成である電子機器冷却ファンを備え、
前記電子機器冷却ファンが、前記軸方向の空気流経路内に配置され前記回転運動が減速するとき又は停止するときに立体的に拡張するように構成される部材を有することを特徴とする装置。
【請求項５】
回転運動をするように構成されるロータと、
前記ロータに連結され、ファン故障検出時又は前記回転運動が減速するとき若しくは停止するときに立体的に拡張するように構成されている羽根とをさらに備えることを特徴とする請求項１又は請求項４に記載の装置。
【請求項６】
回転運動をするように構成されるロータと、
前記ロータに連結される複数のファンブレードとをさらに備え、前記ファンブレードの各々が、ファン故障検出時に互いに反発し合い他の時には互いに引き付け合うように構成されるか、または、回転中には互いに引き付け合い前記回転運動が減速するとき若しくは停止するときには互いに反発し合うように構成される複数のブレード電磁セグメントをさらに有することを特徴とする請求項１又は請求項４に記載の装置。
【請求項７】
回転運動をするように構成されるロータと、
前記ロータに連結される複数のファンブレードとをさらに備え、前記ファンブレードの各々が、２つ以上のブレード部材及び前記ブレード部材間で連結される可撓性膜をさらに有し、前記２つ以上のブレード部材間の離隔距離が、ファン故障検出時に広がり他の時には収束するように構成されるか、または、回転中には収束し前記回転運動が減速するとき若しくは停止するときに広がるように構成されることを特徴とする請求項１又は請求項４に記載の装置。
【請求項８】
前記電子機器冷却ファンを通過する向きに空気流を誘導するように構成される空気流安定化装置をさらに備え、
前記空気流安定化装置が、ファン故障検出時に拡張することにより前記電子機器冷却ファンを通過する空気流を抑制し他の時には収縮するように構成されるか、または、回転運動中には収縮し前記回転運動が減速するとき若しくは停止するときに拡張して前記電子機器冷却ファンを通過する空気流を抑制するように構成される複数の部材をさらに有することを特徴とする請求項１又は請求項４に記載の装置。
【請求項９】
固定子と、
前記固定子と組み合わせて配置され、回転運動をするように構成されるロータと、
前記固定子に連結される複数の固定子ブレードとをさらに備え、前記固定子ブレードの各々が、ヒンジピンによって前記固定子ブレードに回動式に連結された翼をさらに有し、前記翼が、前記ファンが作動中であるときには前記固定子ブレードに当接しファン故障検出時には前記固定子ブレードから拡張するように構成されているか、または、回転中には前記固定子ブレードに当接し前記回転運動が減速するとき若しくは停止するときに前記固定子ブレードから拡張するように構成されていることを特徴とする請求項１に記載の装置。
【請求項１０】
シャーシと、
前記シャーシ内に収容される複数の電子機器冷却ファンとを備え、
前記電子機器冷却ファンが、軸方向の空気流経路を生成する回転運動をするのに適した構成であり、前記電子機器冷却ファンが、前記軸方向の空気流経路内に配置されファン故障時に立体的に拡張するように構成されている部材を有することを特徴とする電子機器冷却装置。
【発明の詳細な説明】
【技術分野】
【０００１】
本発明は、動的に適応可能な電子機器冷却ファンを備える装置に関する。
【背景技術】
【０００２】
コンピュータシステム、ネットワークインターフェース、記憶システム及び通信機器などの電子システム及び機器は、これらを支持するために、これらの物理的セキュリティー及びスペースの有効利用のために、通常はシャーシ、キャビネット又はハウジング内に取り囲まれている。
【発明の開示】
【発明が解決しようとする課題】
【０００３】
このような包囲体に収容されている電子機器は、相当な量の熱を発生する。このような熱を除去しなければ、熱による損傷が電子機器に発生してしまう。
【０００４】
熱風の再循環は、電子機器の性能に影響を与える可能性がある。空気流パターンにおいて、電子機器を冷却しようとするために、電子機器構成要素によって先に暖められている空気を再利用する場合、機器から冷却空気流への熱伝達の効率が低下する可能性がある。状況によっては、熱伝達が不十分になり、機器が過熱して潜在的に熱損傷が生じる。
【０００５】
ファンが故障したときは１つの再循環シナリオが考えられ、このシナリオでは、システム内の他の排気口から排出された熱風が再循環して故障ファンの近くに戻り、装置の熱管理に大きい影響が及ぼされる。
【課題を解決するための手段】
【０００６】
本発明の電子システムの一実施形態によれば、冷却ファンを作動させる方法は、インペラ（羽根）を回転軸回りに回転させること及びファンの故障を検出することより構成される。ファンの故障の検出に対応して、インペラが立体的に拡張し、それにより、故障したファンを通る空気流が遮断される。
【発明を実施するための最良の形態】
【０００７】
構造及び作動方法の両方に関する本発明の実施形態が、以下の説明及び添付の図面を参照することによって最も良く理解される。
【０００８】
電子機器冷却ファンは、故障状態に動的に対応して、構造的ファン部材を拡張させて空気流を遮断し、熱風の再循環を減少又は防止する。
【０００９】
図１Ａ及び図１Ｂを参照すると、空気流経路内で構造体の厚さを選択的に変化させることによって空気流を制御するように構成されている電子機器冷却ファン１００の一実施形態が斜視図で示されている。電子機器冷却ファン１００は、軸方向の空気流経路を生成する回転運動を行うのに適している構成で取り決められている。電子機器冷却ファン１００は、軸方向の空気流経路内に配置され、回転運動が減速するとき又は停止するときに立体的に拡張するように構成されている部材１０２を有する。
【００１０】
電子機器冷却ファン１００は、ファンの故障時のシステム内の空気流の再循環を防止するように構成されている。空気流の再循環を防止又は減少するために、さまざまな他の技法を使用することができる。たとえば、可撓性空気流ブロッカをファンに追加することができる。このことにより、１つのファンが故障した場合に、そのブロッカが空気流と逆の方向に曲がり、空気が故障ファンを通って吸い戻されてシステム内を再循環することが防止される。この技法の限界は、その空気流ブロッカが、作動中のファンによって発生する空気流を妨害してファン性能を低下させ、それにより、システムが最大限には冷却されないということである。空気流ブロッカを使用する場合は、ブロッキングを可能にするために、より珍しい可撓性材料が一般的に使用されるため、システムコストも増加する。別のコストは冷却効果の低下に起因し、システムのエネルギ消費量が増加する。
【００１１】
例示的な実施形態において、電子機器冷却ファン１００は、主として、回転運動するように構成されているロータ１０４と、ロータ１０４に結合されて回転運動が減速するとき又は停止するときに立体的に拡張するように構成されているインペラ１０６とを有する。
【００１２】
図１Ａは、電子機器冷却ファン１００が作動速度で回転しているときの部材１０２の寸法を示す。図１Ｂは、電子機器冷却ファン１００のファン回転が減速するとき又は停止するときの拡張した部材１０２を示す。
【００１３】
例示的な電子機器冷却ファン１００では、多数のファンを並列に共存させ、１つ又は複数のファンが故障した場合、その故障したファンが、作動し続けているファンによって吸い込まれ得る空気を通し、空気をシステム内で再循環させるブリード穴として機能しないようにすることができる。
【００１４】
選択的に拡張及び収縮する部材１０２を形成するために、さまざまな異なった構造及び技法を使用することができる。この構造及び技法によって、ファンが作動を停止すると、ファンブレードが拡張してより多くのスペースを占めることができる。図２Ａ及び図２Ｂは、回転運動するように構成されたロータに取り付けられるファン構造体２００の一実施形態を示す図であり、複数のファンブレード２０２がそのロータに連結される。個々のファンブレード２０２は、複数のブレード電磁セグメント２０４Ａ、２０４Ｂ、２０４Ｃを有し、これらのブレード電磁セグメントは、回転中には図２Ａに示すように相互に引き付け合い、回転運動が減速するとき又は停止するとき、図２Ｂに示すように互いに反発し合う。この例では、複数のブレード電磁セグメント２０４Ａ、２０４Ｂ、２０４Ｃは、ヒンジ２０６で連結されている。他の実施形態では、他の構造を使用してブレード電磁セグメント２０４Ａ、２０４Ｂ、２０４Ｃを連結してもよい。
【００１５】
個々のファンブレード２０２は、より小さい複数の部材片から構成されてもよい。図示の実施形態では、３つの構成部材片を有するファンブレードを使用しているが、他の実施形態ではセグメントの数を増減してもよい。個々のセグメントに小電流を印加し、他のセグメントの磁界とは逆の極性の磁界を発生させることにより、ブレード電磁セグメント２０４Ａ、２０４Ｂ、２０４Ｃは磁気的に結合される。逆極性の引力により、個別のブレード電磁セグメント２０４Ａ、２０４Ｂ、２０４Ｃが互いに引き付け合い、それにより、通常の、すなわち正常作動中のブレード寸法の全体的なファンブレードの外形が生じる。ファンが故障すなわち停止すると、ブレード電磁セグメント２０４Ａ、２０４Ｂ、２０４Ｃを流れる電流が同一方向に流れ、同一極性の磁界を発生する。このことによって、ブレード電磁セグメント２０４Ａ、２０４Ｂ、２０４Ｃは互いに反発し合い、有効的なブレードの外形が増大する。電磁効果により、ロータに取り付けられたファンブレード２０２のすべてが拡張して、ファンが効果的にふさがれるようになり、そのため、空気がファンを通過しない。
【００１６】
この電磁気は、ブレード電磁セグメント２０４Ａ、２０４Ｂ、２０４Ｃ内にわたって電圧を印加することによって簡単に形成される。
【００１７】
図３Ａ及び図３Ｂは、回転運動するように構成されたロータに取り付けられるファン構造体３００の一実施形態を示す図であり、一つ又はそれ以上の複数のファンブレード３０２がそのロータに連結される。個々のファンブレード３０２は、２つ以上のブレード部材３０４Ａ、３０４Ｂと、ブレード部材３０４Ａ、３０４Ｂ間に連結された可撓性膜３０６とをさらに有する。２つ以上のブレード部材３０４Ａ、３０４Ｂの位置付けを制御することにより、回転中には図３Ａに示されているようにファン構造３００は収束し、回転運動が減速するとき又は停止するとき、図３Ｂに示すようにファン構造３００は広がることができる。
【００１８】
別の実施形態では、２つのブレード部材を、一方から選択された度合の所定角度で他方を取り付けることであって、これらのブレード部材の併用で単一のファンブレードを形成する位置に取り付けてもよい。たとえば、これらの部材は通常、先行部材及び後続部材を有し、それらの部材間に膜が延在している。モータが回転してファンブレードを移動させ始めるとき、後続部材が先行部材に近づく。この膜は、Ｋ定数が低い拡張材料からなり、そのため、この膜は容易に伸張する。
【００１９】
一部のファンは、一般的にファン支持アセンブリの一部である空気流スタビライザ（安定化装置）を有する。空気流スタビライザーは、ファンによって発生した円錐状空気をガイドして、所望方向に集束させる。空気流スタビライザーは、複数の部材片から構成され、それにより、ファンの停止時に、検出回路がその空気流ガイドを、たとえばチャイニーズファンのように拡張させすなわち開いて、ファンを完全にふさぐ。
【００２０】
図４Ａ〜図４Ｆを参照すると、多数の斜視図が、拡張可能なフラップ（翼）を使用し、それにより、空気流経路内の構造体の厚さを選択的に変化させて空気流を制御する電子機器冷却ファン４００の一実施形態を示す。
【００２１】
電子機器冷却ファン４００は、電子機器冷却ファン４００を通過する向きに空気流を誘導するように構成される空気流スタビライザー４０８を有する。空気流スタビライザー４０８は複数の部材４１０を有する。複数の部材４１０は、回転運動中には収縮し、回転運動が減速するとき又は停止するとき拡張して、ファン４００を通過する空気流を抑える。
【００２２】
電子機器冷却ファン４００は、ステータ（固定子）４０４と、ステータ４０４と組み合わせて配置され、かつ回転運動するように構成されているロータ４０６とを有する。複数のファンブレード４０２が、ロータ４０６に取り付けられている。複数のステータブレード（固定子ブレード）４１２が、ステータ４０４に取り付けられている。個々のステータブレード４１２は、ヒンジピン４１６によってステータブレード４１２に回動式に連結されたフラップ４１４を有する。フラップ４１４は、回転中にはステータブレード４１２に当接し、回転運動が減速するとき又は停止するとき、ステータブレード４１２から離れて広がるように構成されている。
【００２３】
図４Ａ〜図４Ｆは、電子機器冷却ファン４００又はファン駆動モータの故障時に空気流を制限する電子機器冷却ファン４００の一実施形態を示す。電子機器冷却ファン４００は、ファンが並列に配置されている構成の冷却構成要素を有するシステムにおいて、たとえば２つのファンのうちの一方だけが作動中である場合、その他方の故障ファンを通過した空気の再循環を防止又は減少させるのに役立つ。故障したファンを通過する空気の逆流を引き起こすであろう空気圧のため、例えばフラップ４１４が上方に延出し、電子機器冷却ファン４００内のフラップ４１４が閉じる。通常作動時で、電子機器冷却ファン４００が機能しているとき、フラップ４１４は開放位置にあり、たとえば、フラップ４１４は下方に延出している。
【００２４】
図４Ａは、ファンが作動中で、フラップ４１４が下方に延出した状態にあるファンアセンブリ４００を示す。図４Ｂは、フラップ４１４が上方に延出しているファンアセンブリ４００を示し、このフラップ４１４の延出は故障ファンで見られる。図４Ｃは、固定されたステータブレード４１２とともにファンハウジング４１８を示す。図４Ｄは、ヒンジピン４１６によって各ステータブレード４１２に連結されるフラップ４１４の拡大図である。図４Ｅは、下方の位置に延在するフラップ４１４の拡大図である。図４Ｆは、上方の位置に延在するフラップ４１４の拡大図である。
【００２５】
図５を参照すると、ファンの故障に対応して電子機器冷却ファン５０４を通過する空気流を遮断するようになっている電子機器冷却装置５０２を備える電子システム５０２の一実施形態が斜視図で示されている。電子システム５００は、シャーシ５１４と、シャーシ５１４内に収容され、１つ又は複数の電子構成要素５１６の上方にわたって冷却空気流を生成するように配置された複数の電子機器冷却ファン５０４とを有する。電子機器冷却ファン５０４は、回転運動して軸方向の空気流経路５０６を生成するように構成されている。電子機器冷却ファン５０４はさらに、軸方向の空気流経路５０６内に配置され、ファンの故障時に立体的に拡張するように構成されている１つ又は複数の部材５０８を有する。空気が故障したファンを通過して再循環することを防止するために、さまざまな異なった構造及び技法を使用することができる。故障したファンを通る逆流を防止することにより、空気流が空気流経路５０６内に維持される。
【００２６】
この図面は、ファン及び絞り機構を互いに関連した状態で視覚的に示す概略図である。実際の電子システム５００は、シャーシ５１４内で空気流を導き空気が再循環する可能性がある隙間をなくす追加の壁及びダクトを有する。また、実際の電子システム５００では、電子機器冷却ファン５０４及び絞り機構５２６が密接状に連結されて、空気が漏れる可能性がある隙間や開口がまったくない。同様に、複数の電子機器冷却ファン５０４は、密接状に配置されており、再循環を可能にする、遮られていない隙間をなくしている。通常、電子機器冷却ファン５０４は板金壁、たとえばシャーシ５１４の壁又はシャーシ５１４の内部の障壁などに取り付けられており、これにより、空気は電子機器冷却ファン５０４だけを通過し、空気が電子機器冷却ファン５０４の周囲を流れることが防止される。
【００２７】
電子機器冷却ファン５０４は、空気流経路５０６内での軸方向の空気流を生成する回転運動を行うように構成される。電子機器冷却ファン５０４は、この軸方向の空気流経路５０６上に置かれ、かつ、電子機器冷却ファン５０４の故障時に立体的に拡張する１つ又は複数の部材５０８を有する。
【００２８】
電子機器冷却装置５０２は、電子機器冷却ファン５０４の故障を検出するように構成されているセンサ５１０と、センサ５１０及び電子機器冷却ファン５０４と相互に作用するプロセッサ又はコントローラ等の論理回路５１２とを有する。論理回路５１２は、電子機器冷却ファン５０４の故障検出に対応して電子機器冷却ファン５０４を制御して、部材５０８を立体的に拡張させる。
【００２９】
さまざまな実施形態において、異なったタイプのセンサが組み込まれてもよい。たとえば、典型的なセンサのタイプとしては、電流センサ、他の電気パラメータのセンサ、温度センサ、回転速度計センサ、これらのようなセンサが挙げられる。
【００３０】
一部の例示的な実施態様では、センサ５１０は、電子機器冷却ファン５０４につながる電力線に接続された抵抗器を流れるファン電流を感知する回路でもよい。抵抗器は、選択された電流低下を起こすために、ファン電流に基づいて選択された抵抗を有する。ファンの故障検出は通常、形状及び／又はオフセットについてファン電流波形を監視することによって行われる。適切に機能しているファンは一般的に固有の運動をする。したがって、ファンの故障を検出するために使用される回路は、オフセット及び波形の両方の影響を受けない「電流運動」検出器であってもよい。たとえば、フィルタリング回路又はトランジスター回路などの回路は、測定電流内の振幅を追跡するであろう。正常なファン作動は、既知のパターンの振幅によって表される。振幅が停止する、あるいは振幅正常範囲外まで低下するとき、ファンの故障が表示される。
【００３１】
別のタイプのセンサ５１０は、電子機器冷却ファンに給電する電力線の電気レベルのモニタである。
【００３２】
一部の実施形態は、温度センサの形式又はスイッチの形式のセンサ５１０を有する。何らかの理由で超過温度に達した場合、ファンの故障検出が表示される。
【００３３】
別のセンサであるセンサ５１０としては、ファン空気流内に配置され、空気流温度の変化を検出することができるヒータ抵抗器が挙げられる。
【００３４】
一部の電子機器冷却ファン５０４は、ロータにロックされた感知機能を備える。ロータが停止すると、電子機器冷却ファン５０４が停止モードに入り、定期的に再始動を自動的に試みる。
【００３５】
一部の実施態様では、電子機器冷却ファン５０４の回転速度を検知し、ファン速度がユーザが設定できる閾値すなわちトリップ点より低速になると、警告信号を発する回転速度計センサが使用される。設定可能なレベルより低くなったファン速度は、ファンの摩耗又はロータが固着した状態を表す。
【００３６】
特定のセンサの実施態様では、複数の異なったタイプのセンサを含む。
【００３７】
一部の実施態様では、論理回路５１２が電子機器冷却ファン５０４内の部材５０８の回転を制御し、それにより、軸方向の空気流経路５０６を生成する。電子機器冷却ファン５０４の故障又は電子機器冷却ファン５０４の回転の減速又はファンの回転の停止に対応して、論理回路５１２は部材５０８を立体的に拡張させ、それにより、空気流経路５０６を遮断する。
【００３８】
一部の実施形態では、電子機器冷却ファン５０４は、回転運動するように構成されているロータ５１８と、ロータ５１８に連結され電子機器冷却ファン５０４の故障検出時に立体的に拡張するように構成されている１つ又は複数のインペラ５２０とを有する。そのような実施形態では、インペラ５２０は、電子機器冷却ファン５０４の故障の際に拡張する、すなわち拡張させられる部材５０８を有する。論理回路５１２は、インペラ５２０の回転軸回りの回転を制御するように構成されてもよい。電子機器冷却ファン５０４の故障を検出したとき、論理回路５１２は、検出されたファンの故障に対応して、インペラ５２０を立体的に拡張させて、故障したファンを通る空気流を遮断する。
【００３９】
一部の実施形態では、電子機器冷却ファン５０４は、ロータ５１８と、ロータ５１８に連結された複数のファンブレードとを有する。ファンブレードは、ファンの故障検出時に互いに反発し合い、そうでない時には互いに引き付け合うように構成される複数ブレード電磁セグメントを有する。論理回路５１２は、ファンブレードの回転を始動させ、電磁セグメントを流れる電流を、その電流の方向の制御を含めて制御し、それにより、ファンが故障したときにはファンブレードは互いに反発し合い、そうでない時には互いに引き付け合う。一部の実施形態では、センサ５１０は、ファンブレードの回転速度を検出し、論理回路５１２は、回転速度が予め選択された値より高いときに複数のファンブレードが互いに引き付け合い、そうでない時には互いに反発し合うようにする方向に、電流を電磁セグメントに流す。
【００４０】
他の実施形態では、ファンブレードは、２つ以上のブレード部材と、これらブレード部材の間に連結された可撓性膜とを有する形態である。２つ以上のブレード部材の間の離間距離は、ファンの故障検出時に広がり、そうでない時には収束するように構成されている。論理回路５１２は、インペラ５２０の回転と、回転中の各インペラ５２０の部材の間の分離角度とを制御する。論理回路５１２は、インペラ５２０の部材の間に小さい分離角度を通常は維持するが、ファンの故障検出時には、インペラ５２０の部材の間の分離角度を増加させ、それにより、故障ファンを通る空気流を遮断する。一部の実施態様では、論理回路５１２は、ファンブレードの回転速度を検出し、その速度が予め選択された値より高いとき、各ブレード部材の離間距離を維持する。回転速度がその値より低くなった場合、ブレード部材を分離させて、電子機器冷却ファン５０４の空気流を遮断する。
【００４１】
一部の実施形態では、空気流スタビライザ５２４が、電子機器冷却ファン５０４を通る向きに空気流を誘導するように構成される。空気流スタビライザ５２４は、ファンの故障検出時に拡張して、電子機器冷却ファン５０４を通る空気流を抑える複数の部材を有する。電子機器冷却ファン５０４が故障していない場合、複数の部材は収縮する。そのような実施形態では、空気流スタビライザ５２４の部材は、空気流経路５０６内の拡張部材５０８として働く。そのような実施態様では、論理回路５１２は、空気流スタビライザ５２４の部材の形態を制御して、ファンが故障したときには空気流スタビライザ５２４の部材５０８を拡張させ、それにより、電子機器冷却ファン５０４を通る空気流を絞る。故障していない場合、論理回路５１２は空気流スタビライザ５０４の部材５０８を収縮させる。
【００４２】
特定の実施態様では、電子機器冷却ファン５０４の速度に基づいて電子機器冷却ファン５０４の作動を監視することができる。論理回路５１２は、ファンブレードの回転速度を測定するための回転速度計などのセンサの値を読み取り、それに従って空気流スタビライザ部材を制御してもよい。回転速度が所定レベルより高い場合、空気流スタビライザ部材を収縮させることができる。回転速度が選択された値より低い場合、空気流スタビライザ部材を拡張させ、それにより、電子機器冷却ファン５０４を通る空気流を減少させる。
【００４３】
さらなる追加的な実施形態では、電子機器冷却ファン５０４がステータ５２６と、ステータ５２６と組み合わせて配置され回転運動するようになっているロータ５１８とを有する。複数のステータブレード５２８が、ステータ５２６に連結される。個々のステータブレード５２８は、ヒンジピンによってステータブレード５２８に回動式に連結されたフラップを有してもよい。フラップは、ファンの作動中にはステータブレード５２８に当接し、ファンの故障検出時には、ステータブレード５２８から離れるように拡張する。
【００４４】
本開示にはさまざまな実施形態を記載されているが、これらの実施形態は例示的であることが理解され、特許請求の範囲を制限しない。記載されている実施形態の多くの変更、修正、追加及び改良が可能である。たとえば、当業者であれば、本明細書に開示されている構造及び方法を提供するために必要なステップを容易に実施することができるとともに、処理パラメータ、材料及び寸法は例示のためだけに与えられていることを理解できるであろう。所望の構造を得るために、特許請求の範囲内に入る修正とともに、パラメータ、材料及び寸法を変更することができる。たとえば、特殊なタイプのファン拡張構造及び技法を図示して説明しているが、任意の適当なファン流妨害装置又は構成要素を使用してもよい。同様に、構造及び技法を表現しやすくするために、さまざまな単純な複数のファンを有する構造が示されている。任意の適当な数及び配置のファンを使用してもよく、これらは本明細書の記載の範囲内に含まれる。
【００４５】
特許請求の範囲において、特に他に表示がない限り、各構成要素は、１つ又は複数の構成要素を表すものとする。
【図面の簡単な説明】
【００４６】
【図１Ａ】空気流経路内の構造体の厚さを選択的に変更することによって空気流を制御するように構成されている電子機器冷却ファンの一実施形態を示す斜視図である。
【図１Ｂ】空気流経路内の構造体の厚さを選択的に変更することによって空気流を制御するように構成されている電子機器冷却ファンの一実施形態を示す斜視図である。
【図２Ａ】空気流経路内の構造体の厚さを選択的に変更することによって空気流を制御するために、電磁部材を使用する電子機器冷却ファンの一実施形態を示す斜視図である。
【図２Ｂ】空気流経路内の構造体の厚さを選択的に変更することによって空気流を制御するために、電磁部材を使用する電子機器冷却ファンの一実施形態を示す斜視図である。
【図３Ａ】空気流経路内の構造体の厚さを選択的に変更することによって空気流を制御するために、膜によって連結された分離可能な部材を使用する電子機器冷却ファンの一実施形態を示す斜視図である。
【図３Ｂ】空気流経路内の構造体の厚さを選択的に変更することによって空気流を制御するために、膜によって連結された分離可能な部材を使用する電子機器冷却ファンの一実施形態を示す斜視図である。
【図４Ａ】空気流経路内の構造体の厚さを選択的に変更することによって空気流を制御するために、拡張可能なフラップを使用する電子機器冷却ファンの一実施形態を示す斜視図である。
【図４Ｂ】空気流経路内の構造体の厚さを選択的に変更することによって空気流を制御するために、拡張可能なフラップを使用する電子機器冷却ファンの一実施形態を示す斜視図である。
【図４Ｃ】空気流経路内の構造体の厚さを選択的に変更することによって空気流を制御するために、拡張可能なフラップを使用する電子機器冷却ファンの一実施形態を示す斜視図である。
【図４Ｄ】空気流経路内の構造体の厚さを選択的に変更することによって空気流を制御するために、拡張可能なフラップを使用する電子機器冷却ファンの一実施形態を示す斜視図である。
【図４Ｅ】空気流経路内の構造体の厚さを選択的に変更することによって空気流を制御するために、拡張可能なフラップを使用する電子機器冷却ファンの一実施形態を示す斜視図である。
【図４Ｆ】空気流経路内の構造体の厚さを選択的に変更することによって空気流を制御するために、拡張可能なフラップを使用する電子機器冷却ファンの一実施形態を示す斜視図である。
【図５】例示的な冷却ファンを使用する電子システムの一実施形態を示す斜視図である。
【符号の説明】
【００４７】
１００、２００、４００、５０４  電子機器冷却ファン
１０２、５０８                  部材
１０４                          ロータ
１０６                          インペラ
２０４Ａ、２０４Ｂ、２０４Ｃ    ブレード電磁セグメント
３０４Ａ、３０４Ｂ、３０４Ｃ    ブレード部材
４０８                          空気流スタビライザ
４１６                          ヒンジピン
５１０                          センサ
５１２                          論理回路
【図１Ａ】
2006194248.tif 000003
【図１Ｂ】
2006194248.tif 000004
【図２Ａ】
2006194248.tif 000005
【図２Ｂ】
2006194248.tif 000006
【図３Ａ】
2006194248.tif 000007
【図３Ｂ】
2006194248.tif 000008
【図４Ａ】
2006194248.tif 000009
【図４Ｂ】
2006194248.tif 000010
【図４Ｃ】
2006194248.tif 000011
【図４Ｄ】
2006194248.tif 000012
【図４Ｅ】
2006194248.tif 000013
【図４Ｆ】
2006194248.tif 000014
【図５】
2006194248.tif 000015